(57)【要約】      （修正有）【課題】本体の模様を容易に変更でき、本体を保護できる着せ替えオペラグラスを提供する。【解決手段】着せ替えオペラグラスにおいて、接眼レンズと対物レンズを備える本体１と、本体１を覆う透明のカバー２と、本体１とカバー２との間に着せ替えシートを設け、着せ替えシートを本体１の中央部分に巻き付けて、カバー２で押さえ込むようにしたものであり、着せ替えシートの取り付け、取り外しを容易にして、着せ替えシートを容易に取り替えるものである。【選択図】図１
0003197627.tif 000002
【実用新案登録請求の範囲】
【請求項１】
オペラグラスにおいて、
接眼レンズと対物レンズを備える本体と、
前記本体を覆う透明なカバーと、
前記本体と前記カバーとの間に設けられる着せ替えシートとを有することを特徴とする着せ替えオペラグラス。
【請求項２】
着せ替えシートは、本体に巻き付けるように取り付けられることを特徴とする請求項１記載の着せ替えオペラグラス。
【請求項３】
着せ替えシートを取り替え可能としたことを特徴とする請求項１又は２記載の着せ替えオペラグラス。
【請求項４】
カバーは、対物レンズ側に設けられる前面と、前記対物レンズ側及び接眼レンズ側を除く本体の周囲を覆う周囲面とを有することを特徴とする請求項１乃至３のいずれか記載の着せ替えオペラグラス。
【請求項５】
カバーの対物レンズ側に、前記対物レンズを突出させる開口窓を設けたことを特徴とする請求項４記載のオペラグラス。
【考案の詳細な説明】
【技術分野】
【０００１】
本考案は、オペラグラスに係り、特に、本体部分の模様を容易に変更できる着せ替えオペラグラスに関する。
【背景技術】
【０００２】
［先行技術の説明］
従来のオペラグラスは、予め本体に模様が施されたものがあった。
また、従来のオペラグラスに使用者が好みのシール等を貼り付けることは自由に為されるものであった。
【０００３】
［関連技術］
尚、関連する先行技術としては、実開平０７−８８２０号「携帯用双眼鏡」（日新工機株式会社）［特許文献１］、実用新案登録第３０５７２３１号「オペラグラス」（株式会社エイ・ティ・エル）［特許文献２］がある。
【０００４】
特許文献１には、携帯用双眼鏡において、双眼鏡の外筒枠から内筒枠を引き出すことができるものが記載されている。
特許文献２には、オペラグラスにおいて、本体フレームから接眼レンズフレームを左右方向に引き出して内側に回転させてオペラグラスを組み立てるものが記載されている。
【先行技術文献】
【特許文献】
【０００５】
【特許文献１】実開平０７−８８２０号公報
【特許文献２】実用新案登録第３０５７２３１号公報
【考案の概要】
【考案が解決しようとする課題】
【０００６】
しかしながら、上記従来のオペラグラスでは、予め本体に模様が施されているか、後でシール等を貼り付けたものであるから、容易に本体の模様を変更することができないという問題点があった。
【０００７】
尚、特許文献１では、外筒枠から内筒枠を引き出すことはできるものの、完全に分離し、両者の間にシールを挿入できる構成とはなっていない。
また、特許文献２では、本体フレームから接眼レンズフレームを引き出すことはできるものの、完全に分離し、両者の間にシールを挿入できる構成とはなっていない。
【０００８】
本考案は上記実状に鑑みて為されたもので、本体の模様を容易に変更でき、本体を保護できる着せ替えオペラグラスを提供することを目的とする。
【課題を解決するための手段】
【０００９】
上記従来例の問題点を解決するための本考案は、着せ替えオペラグラスにおいて、接眼レンズと対物レンズを備える本体と、本体を覆う透明なカバーと、本体とカバーとの間に設けられる着せ替えシートとを有することを特徴とする。
【００１０】
本考案は、上記着せ替えオペラグラスにおいて、着せ替えシートが、本体に巻き付けるように取り付けられることを特徴としている。
【００１１】
本考案は、上記着せ替えオペラグラスにおいて、着せ替えシートを取り替え可能としたことを特徴としている。
【００１２】
本考案は、上記着せ替えオペラグラスにおいて、カバーが、対物レンズ側に設けられる前面と、対物レンズ側及び接眼レンズ側を除く本体の周囲を覆う周囲面とを有することを特徴としている。
【００１３】
本考案は、上記着せ替えオペラグラスにおいて、カバーの対物レンズ側に、対物レンズを突出させる開口窓を設けたことを特徴としている。
【考案の効果】
【００１４】
本考案によれば、本体が接眼レンズと対物レンズを備え、透明なカバーが本体を覆い、着せ替えシートが本体とカバーとの間に設けられる着せ替えオペラグラスとしているので、本体の模様を容易に変更でき、本体を保護できる効果がある。
【図面の簡単な説明】
【００１５】
【図１】透明カバーを取り外した時の本オペラグラスの概略図である。
【図２】透明カバーを取り付けた時の本オペラグラスの概略図である。
【図３】本体の正面説明図である。
【図４】本体の側面説明図である。
【図５】本体の平面説明図である。
【図６】本体の底面説明図である。
【図７】カバーの正面説明図である。
【図８】カバーの側面説明図である。
【図９】カバーの平面説明図である。
【図１０】カバーの底面説明図である。
【図１１】本オペラグラスの平面説明図である。
【図１２】本オペラグラスの側面説明図である。
【考案を実施するための形態】
【００１６】
本考案の実施の形態について図面を参照しながら説明する。
［実施の形態の概要］
本考案の実施の形態に係る着せ替えオペラグラスは、接眼レンズと対物レンズを備える本体と、本体を覆う透明のカバーと、本体とカバーとの間に着せ替えシートを設けるようにしたものであり、着せ替えシートを取り替えることで、本体の模様を容易に変更することができ、更に本体をカバーで保護することができるものである。
【００１７】
［本オペラグラス：図１、図２］
次に、本考案の実施の形態に係る着せ替えオペラグラス（本オペラグラス）の概要について図１及び図２を参照しながら説明する。図１は、透明カバーを取り外した時の本オペラグラスの概略図であり、図２は、透明カバーを取り付けた時の本オペラグラスの概略図である。
本オペラグラスは、図１に示すように、本体１と、透明のカバー２と、後述する着せ替えシート３とから構成され、本体１からカバー２が分離できる構造で、カバー２の背面から本体１を挿入して一体化し、使用するものである。
【００１８】
本体１にカバー２を取り付けた状態は、図２に示すように、本体１には２つの接眼レンズ１１と、２つの対物レンズ１２が組み込まれて形成されており、カバー２は、対物レンズ１２側の面と本体１の周囲面を覆うように取り付けられる。
つまり、本体１の接眼レンズ１１側にはカバー２は設けられておらず、開放状態となっている。また、対物レンズ１２側の面では、対物レンズ１２の楕円部分にはカバー２が設けられていないものとなっている。
【００１９】
また、本体１とカバー２との間には、模様が施された着せ替えシート３が設けられている。
具体的には、本体１の対物レンズ１２が形成される面と、接眼レンズ１１が形成される面とを除いた中央部分の周囲面に着せ替えシート３を巻きつけるようにして固定し、そして、カバー２を取り付けるようにしたものである。
【００２０】
着せ替えシート３は、本オペラグラスの販売時にパッケージに複数枚含めるようにしてもよいし、パッケージ等に着せ替えシート３のサイズを公表し、使用者が自由にデザインして印刷して使用できるようにしてもよい。
また、ウェブ上に着せ替えシートのサンプルを公表し、それを使用者が自由にデザインして印刷したものを用いるようにしてもよい。
【００２１】
尚、本体１は、例えばＡＢＳ樹脂（アクリロニトリル［Acrylonitrile］、ブタジエン［Butadiene］、スチレン［Styrene］共重合合成樹脂）で形成され、内部のレンズは、例えばガラス、アクリル樹脂で形成され、カバー２は、例えばポリカーボネート樹脂で形成されている。
【００２２】
次に、本体１とカバー２について具体的に説明する。
［本体１：図３〜図６］
本体１の構成について、図３〜図６を参照しながら説明する。図３は、本体の正面説明図であり、図４は、本体の側面説明図であり、図５は、本体の平面説明図であり、図６は、本体の底面説明図である。
【００２３】
本体１は、図３、図４に示すように、対物レンズ１２側の端部１２ｂの幅に対して、本体１の中央部分１ａの幅は若干狭くなっており、接眼レンズ１１側の端部１１ｃは中央部分１ａ及び対物レンズ１２側の端部１２ｂより幅が広くなっている。
【００２４】
本体１の中央部分１ａが最も幅が狭くなっているのは、その部分に着せ替えシート３を巻き付けるために凹部となっているためである。従って、本体１の中央部分１ａに着せ替えシート３を巻き付けた場合に、接眼レンズ１１側の端部１１ｃよりはみ出してしまうような厚いシートは、カバー２を装着できなくなるので、使用できない。
【００２５】
また、中央部分１ａにおいて、接眼レンズ１１側の端部１１ｃより中央側に設けられた段差部分と対物レンズ１２側の端部１２ｂとで着せ替えシート３を巻き付けるためのガイドの役割を果たしている。
そして、接眼レンズ１１側の端部１１ｃは、装着したカバー２の端部２ｄが止まるストッパーとなっている。
【００２６】
また、本体１の対物レンズ１２側から見た状態が、図５に示すとおりで、楕円形の上側が平らで、下側が中央に凹んでくびれた形状となっている。
また、本体１の接眼レンズ１１側から見た状態が、図６に示すとおりである。
尚、接眼レンズ１１と対物レンズ１２は、レンズそのものは内部側に配置され、傷が付きにくい構造となっている。
【００２７】
［カバー２：図７〜図１０］
カバー２の構成について、図７〜図１０を参照しながら説明する。図７は、カバーの正面説明図であり、図８は、カバーの側面説明図であり、図９は、カバーの平面説明図であり、図１０は、カバーの底面説明図である。
【００２８】
カバー２は、図７〜図１０に示すように、本体１の対物レンズ１２側と本体１の中央部分１ａを覆う形状となっており、接眼レンズ１１側が開放され、その開放部分から本体１の対物レンズ１２側を挿入して、カバー２の接眼レンズ１１側の端部２ｄが本体１の接眼レンズ１１側の端部１１ｃに接して固定（ロック）される。
【００２９】
但し、対物レンズ１２側は、対物レンズ１２の楕円部分にはカバーが形成されておらず、その楕円部分より少し大きめの楕円形状の開口窓２ｅが形成されている。
本体１にカバー２が装着されると、対物レンズ１２の楕円部分がカバー２の開口窓２ｅから突出する構成となっている。
尚、カバー２を本体１に装着する前に、着せ替えシート３を本体１の中央部分１ａに巻き付ける動作を行うことになる。
【００３０】
［本オペラグラスの平面及び側面：図１１、図１２］
本体１のカバー２が装着された状態の平面と側面について図１１、図１２を参照しながら説明する。図１１は、本オペラグラスの平面説明図であり、図１２は、本オペラグラスの側面説明図である。
本オペラグラスは、図１１、図１２に示すように、本体１にカバー２が装着されると、図３、図４に示した本体１の凹凸部分が覆われ、接眼レンズ１１側の端部１１ｃの段差がなくなり、一体感のあるものとなる。
また、対物レンズ１２の楕円部分は、カバー２の開口窓２ｅから少し突出している。
【００３１】
［着せ替えシートの取り付け方法］
次に、本オペラグラスにおける着せ替えシート３の取り付け方法について説明する。
本体１の対物レンズ１２側の下側にして机等の平面に置くと、対物レンズ１２の楕円部分が直接机等に接触し、カバー２自体は浮いた状態となる。
そして、カバー２を両手で押さえながら、下方向にスライドさせると、カバー２の端部２ｄが接眼レンズ１１側の端部１１ｃから離れる。
【００３２】
本体１の接眼レンズ１１側を一方の手で持ち、他方の手でカバー２を対物レンズ１２側に引っ張ると、カバー２が本体１から外れる。
次に、着せ替えシート３を本体１の中央部分１ａの周囲に巻き付け、継ぎ目が図３の裏側（図５の下側）のくぼんだ中央付近になるようして、その継ぎ目部分を指で押さえる。
そして、着せ替えシート３にしわがなく、浮きがなく張られたことを確認して、指で押さえたままカバー２を本体１の対物レンズ１２側から、カバー２の端部２ｄが本体１の接眼レンズ１１側の端部１１ｃに接触するまで差し込んで固定する。本体１に巻き付けられた着せ替えシート３は、カバー２によって押さえ込まれることになる。
以上によって、着せ替えシート３の取り付けが完了する。
【００３３】
［着せ替えシートの取り外し方法］
着せ替えシート３の取り外し方法は、本体１からカバー２を取り外す動作は、上述したとおりであり、その後、本体１の中央部分１ａに巻き付けられた着せ替えシート３を継ぎ目部分から剥離させて取り外すことで完了する。
【００３４】
［応用例］
本オペラグラスは、ピント調整が不要なフリーフォーカスタイプの機種で説明したが、焦点調整リングが本体に形成されたピント調整機能を備えたタイプの機種についても適用できる。
この場合、焦点調整リングに相当する部分にはカバー２が形成されておらず、着せ替えシート３も焦点調整リングに相当する部分には形成されない形状となっている。
【００３５】
［実施の形態の効果］
本考案の実施の形態に係る着せ替えオペラグラスによれば、接眼レンズ１１と対物レンズ１２を備える本体１と、本体１を覆う透明のカバー２と、本体１とカバー２との間に着せ替えシート３を設け、着せ替えシート３を本体１の中央部分１ａに巻き付けて、カバー２で押さえ込むようにしたものであり、着せ替えシート３の取り付け、取り外しを容易にして、着せ替えシート３を容易に取り替えることで、本体１の中央部分１ａの模様を容易に変更することができ、更に本体１をカバー２で保護することができる効果がある。
【産業上の利用可能性】
【００３６】
本考案は、本体の模様を容易に変更でき、本体を保護できる着せ替えオペラグラスに適している。
【符号の説明】
【００３７】
１...本体、  １ａ...中央部分、  ２...カバー、  ２ｄ...端部、  ２ｅ...開口窓、  ３...着せ替えシート、  １１...接眼レンズ、  １１ｃ...端部、  １２...対物レンズ、  １２ｂ...端部
【図１】
0003197627.tif 000003
【図２】
0003197627.tif 000004
【図３】
0003197627.tif 000005
【図４】
0003197627.tif 000006
【図５】
0003197627.tif 000007
【図６】
0003197627.tif 000008
【図７】
0003197627.tif 000009
【図８】
0003197627.tif 000010
【図９】
0003197627.tif 000011
【図１０】
0003197627.tif 000012
【図１１】
0003197627.tif 000013
【図１２】
0003197627.tif 000014